(57)【要約】  開示される本発明は、情報担体１１上に記録された情報を再生する装置であって、読出信号Ｓに波形等化を施すことにより、補正された信号Ｓ'を取得する波形イコライザ６であって、ゲインＫの増幅素子を有する波形イコライザ６と、情報担体１１上に記憶された数値ゲイン設定を読み出し、増幅素子のゲインＫを、その数値ゲイン設定に関連付けられた値に設定するゲイン設定手段１とを含む装置である。情報担体から数値ゲイン設定を読み出すことにより、装置は、波形イコライザのゲインＫを、ノイズおよび符号間干渉を抑制するのに最適な値に設定することができる。イコライザに後続して、リミットイコライザが設けられてもよい。このリミットイコライザのゲインも、情報担体から読み出された波形であってもよい。
2008521155.tif 000002
【特許請求の範囲】
【請求項１】
情報担体上に記録された情報を再生する装置であって、
前記情報担体から読み出された読出信号に波形等化を施すことにより、補正された信号を取得する波形イコライザであって、ゲインＫの増幅素子を有する波形イコライザと、
前記情報担体上に記憶された数値ゲイン設定を読み出し、前記増幅素子の前記ゲインＫを、前記数値ゲイン設定に関連付けられた値に設定するゲイン設定手段とを含むことを特徴とする装置。
【請求項２】
前記波形イコライザが、前記読出信号に対してフィルタリング処理を施すことができるＦＩＲフィルタであって、タップ係数
【数１】
2008521155.tif 000018
を有するＦＩＲフィルタを含んでいることを特徴とする請求項１記載の装置。
【請求項３】
前記波形イコライザに後続して、リミットイコライザが設けられていることを特徴とする請求項１記載の装置。
【請求項４】
前記リミットイコライザが、
前記読出信号に対してフィルタリング処理を施すことのできる、タップ係数［０，０，０，１］を有する第１のＦＩＲフィルタと、
前記読出信号の振幅レベルを、予め決められた振幅制限値により制限することによって、振幅が制限された読出信号を取得することができる振幅制限手段と、
前記振幅が制限された読出信号に対してフィルタリング処理を施すことのできる、適切な増幅因子ｍに対しタップ係数［−ｍ，＋ｍ，＋ｍ，−ｍ］を有する第２のＦＩＲフィルタと、
前記第１のＦＩＲフィルタおよび前記第２のＦＩＲフィルタの各々によって前記フィルタリング処理を実行することにより得られた信号を加算し、前記補正された信号を出力することができる加算器とを含んでいることを特徴とする請求項３記載の装置。
【請求項５】
前記ゲイン設定手段が、追加の数値ゲイン設定を読み出し、前記リミットイコライザの増幅因子を、前記追加の数値ゲイン設定に関連付けられた値に設定するように構成されていることを特徴とする請求項３記載の装置。
【請求項６】
請求項１または２記載の装置内で使用するための情報担体であって、前記数値ゲイン設定が記憶されていることを特徴とする情報担体。
【請求項７】
光ディスクであることを特徴とする請求項６記載の情報担体。
【請求項８】
前記数値ゲイン設定が、当該情報担体のリードイン領域内の制御データ領域中に記憶されていることを特徴とする請求項６記載の情報担体。
【請求項９】
情報担体上に記録された情報を再生する方法であって、
ゲインＫの増幅素子を有する波形イコライザを用いて、前記情報担体から読み出された読出信号に波形等化を施すことにより、補正された信号を取得する工程と、
前記情報担体上に記憶された数値ゲイン設定を読み出し、前記増幅素子の前記ゲインＫを、前記数値ゲイン設定に関連付けられた値に設定する工程とを含むことを特徴とする方法。
【請求項１０】
前記波形イコライザに後続して、リミットイコライザが設けられることを特徴とする請求項９記載の方法。
【発明の詳細な説明】
【技術分野】
【０００１】
本発明は、情報担体上に記録された情報を再生する装置に関するものである。
【０００２】
本発明はさらに、かかる装置内で使用するための情報担体にも関するものである。
【０００３】
本発明はまた、情報担体上に記録された情報を再生する方法にも関するものである。
【背景技術】
【０００４】
情報担体から情報を再生する装置であって、波形イコライザを有する装置が、欧州特許出願公開０９４０８１１Ａ１号より知られている。この既知の装置では、光ピックアップユニットが、記録ディスクから、記録された情報を読み出す。記録ディスクは、スピンドルモーターにより回転させられる。光ピックアップユニットは、読出信号を増幅器へと供給する。増幅器は、読出信号を所望のレベルまで増幅し、得られた読出信号を波形イコライザへと供給する。波形イコライザ内に存在する振幅制限回路が、読出信号の振幅を制限することにより、読出信号の信号レベルを変換する。振幅が制限された読出信号は、高周波強調フィルタに供給される。高周波強調フィルタは、振幅が制限された読出信号の高周波成分のレベルを強め、結果として得られた信号を、等化補正読出信号として、二値判定回路に供給する。二値判定回路は、等化補正読出信号の信号レベルが、論理レベル「１」と「０」とのいずれに対応するかを区別し、その区別の結果を、再生データとして生成する。
【０００５】
情報記録の分野がより発展するにつれて、情報担体上の情報密度は、ますます高くなっている。そのため、ＤＶＤからブルーレイディスクに移行するにつれて、符号間干渉を低減するため、読出信号の等化がますます必要となっている。等化処理は、読出信号中の最小信号を適切に検出することを可能にする。ブルーレイディスクの場合、最小信号はＩ２と呼ばれている。これらの信号は、チャネルの最も高い周波数を表しており、その高周波数近くにカットオフを有する光学ＭＴＦのため、最も小さな振幅を有する。欧州特許出願公開０９４０８１１Ａ１号に記載されているいわゆるリミットイコライザは、符号間干渉を低減するのにより長けており、したがって読出信号中の「目（ｅｙｅ）」を開かせるのに非常に良好に機能する（等化されていない読出信号は、非常に小さなＩ２信号のため、閉じた「目」を有するかもしれない）。イコライザの１つの重要なパラメータは、そのイコライザが与える「ブースト」の尺度となるゲインである。
【０００６】
情報担体から読出しを行う際には、多かれ少なかれ、読出信号中にノイズが含まれる。ノイズの特性は、情報担体のタイプに依存する。たとえば、書換可能型のブルーレイディスク（Ｂｌｕ−ｒａｙ  Ｄｉｓｃ  Ｒｅｗｒｉｔａｂｌｅ）については、その物理的特性の仕様書によれば、２３．３ＧＢ、２５ＧＢおよび２７ＧＢという３つの異なる容量が規定されている。これら３つの容量のそれぞれは、異なるチャネルビット長を有し、容量が大きいほどチャネルビット長は短い。チャネルビット長が短いほど、Ｉ２信号の検出はより困難になる。このことは、読出信号中のノイズに関係がある。したがって、所与のノイズの特性の下で、Ｉ２が最適にブーストされるようなイコライザのゲイン設定は、情報担体のタイプに依存する。記録可能型のブルーレイディスク（Ｂｌｕ−ｒａｙ  ｄｉｓｃ  Ｒｅｃｏｒｄａｂｌｅ）のような追記型の記録では、複数の異なる適切な媒体タイプが存在する。これらの媒体タイプとは、有機（色素）タイプならびに無機タイプ、およびＬｏｗ−ｔｏ−Ｈｉｇｈ（Ｌ２Ｈ）媒体である。異なる媒体タイプは、互いに異なるノイズ特性を有するか、ＭＴＦから予想できるように最も高い周波数においてより少ない変調を得るものであり、したがってイコライザについても異なる最適ゲイン設定を必要とする。
【発明の開示】
【発明が解決しようとする課題】
【０００７】
したがって、イコライザの最適ゲイン設定は、情報担体のタイプに依存する。情報担体の最適な読出しのためには、情報担体上の情報を再生する装置は、イコライザの最適ゲイン設定を知る必要がある。既知の装置は、最適ゲイン設定を特定することができないので、最適でないかもしれないゲイン設定を用いて情報を再生する。その結果、読出信号中の符号間干渉およびノイズは、イコライザによる最適な抑制を受けないこととなる。
【０００８】
本発明の１つの目的は、冒頭の段落で述べたような情報を再生する装置であって、読出信号中の符号間干渉およびノイズを、より良好に抑制する装置を提供することである。
【０００９】
本発明のさらなる１つの目的は、冒頭の段落で述べたような情報を再生する方法であって、読出信号中の符号間干渉およびノイズを、より良好に抑制する方法を提供することである。
【００１０】
本発明のさらなる１つの目的は、本発明に係る装置内で使用するための情報担体を提供することである。
【課題を解決するための手段】
【００１１】
上記の目的のため、本発明に係る装置は、
情報担体から読み出された読出信号Ｓに波形等化を施すことにより、補正された信号Ｓ'を取得する波形イコライザであって、ゲインＫの増幅素子を有する波形イコライザと、
情報担体上に記憶された数値ゲイン設定を読み出し、上記の増幅素子のゲインＫを、この数値ゲイン設定に関連付けられた値に設定するゲイン設定手段とを含むものとされる。
【００１２】
本発明に係る方法は、
ゲインＫの増幅素子を有する波形イコライザを用いて、情報担体から読み出された読出信号Ｓに波形等化を施すことにより、補正された信号Ｓ'を取得する工程と、
情報担体上に記憶された数値ゲイン設定を読み出し、上記の増幅素子のゲインＫを、この数値ゲイン設定に関連付けられた値に設定する工程とを含むものとされる。
【００１３】
本発明に係る情報担体上には、上記の数値ゲイン設定が記憶されている。
【００１４】
所与の情報担体に対するイコライザの最適なゲイン設定は、その情報担体を分析することによって、前もって決定され得る。この決定された最適なゲイン設定を、数値ゲイン設定の形式で情報担体上に記憶することにより、本発明に係る装置は、その最適なゲインを読み出し、それに従って増幅素子のゲインＫを設定することができる。その後、イコライザは、読出信号中の符号間干渉およびノイズを最適に抑制することにより、その情報担体に対して最適に機能することができる。
【００１５】
本発明に係る装置の１つの実施形態では、波形イコライザは、読出信号Ｓに対してフィルタリング処理を施すことができるＦＩＲフィルタであって、タップ係数
【数２】
2008521155.tif 000003
を有するＦＩＲフィルタを含むものとされる。
【００１６】
略語ＦＩＲは、Ｆｉｎｉｔｅ  Ｉｍｐｕｌｓｅ  Ｒｅｓｐｏｎｓｅ（有限インパルス応答）の略である。すなわち、このフィルタは、有限のインパルス応答を有する。かかるフィルタは、タップ遅延器、増幅ユニット、およびそれらタップ遅延器ならびに増幅ユニットの出力を加算する加算器からなる。増幅ユニットは、Ｋの増幅を有する。このＫの値に応じて、波形イコライザは特定の周波数応答を有する。このゲインＫは、情報担体から最適ゲインを読み出し、それに従ってゲインＫを設定することにより設定される。この波形イコライザは、ランレングス制限（ＲＬＬ）コードでの使用が可能である。ＲＬＬコードは、パラメータｄおよびｋにより示される。パラメータｄは、最小ランレングス制約を表し、パラメータｋは、最大ランレングス制約を表す。ｄ＋１よりも短いランレングスは許容されず、ｋ＋１よりも長いランレングスも許容されない。上記で述べた波形イコライザは、ｄ＝１であるＲＬＬコードに適している。
【００１７】
このＦＩＲフィルタは、伝達関数
【数３】
2008521155.tif 000004
を有する、４タップ・トランスバーサルフィルタである。
【００１８】
ブルーレイディスク書込装置のような装置では、波形イコライザに後続して、リミットイコライザが設けられてもよい。
【００１９】
リミットイコライザの一例は、欧州特許出願公開０９４０８１１Ａ１号に記載されている。この欧州特許出願公開０９４０８１１Ａ１号に記載されているように、リミットイコライザは、ノイズおよび符号間干渉を実質的に抑制する。
【００２０】
本発明に係る装置のさらなる実施形態では、リミットイコライザは、
読出信号Ｓに対してフィルタリング処理を施すことのできる、タップ係数［０，０，０，１］を有する第１のＦＩＲフィルタと、
読出信号Ｓの振幅レベルを、予め決められた振幅制限値により制限することによって、振幅が制限された読出信号を取得することができる振幅制限手段と、
上記の振幅が制限された読出信号に対してフィルタリング処理を施すことのできる、適切な増幅因子ｍに対しタップ係数［−ｍ，ｍ，ｍ，−ｍ］を有する第２のＦＩＲフィルタと、
上記の第１のＦＩＲフィルタおよび第２のＦＩＲフィルタの各々によってフィルタリング処理を実行することにより得られた信号を加算し、補正された信号Ｓ'を出力することができる加算器とを含むものとされる。ブルーレイディスク書込装置の場合は、増幅因子ｍの１つの適切な値は、ｍ＝３／１６である。本発明に係る装置の１つの実施形態では、上記のゲイン設定手段１は、追加の数値ゲイン設定を読み出し、リミットイコライザの増幅因子を、その追加の数値ゲイン設定に関連付けられた値に設定するように構成される。
【００２１】
情報担体の一例としては、ＤＶＤ＋Ｒの光ディスクが挙げられる。ディスク上の、情報が書き込まれた領域または情報が書き込まれ得る領域は、情報領域と呼ばれる。情報領域は、内側ドライブ領域、リードイン領域、データ領域、リードアウト領域、および外側ドライブ領域からなる。リードイン領域は、制御情報を含んでいる。リードイン領域は、情報領域の内径側に配されている。リードイン領域は、制御データ領域を含む。この制御データ領域は、物理フォーマット情報、ディスクの製造情報、およびコンテンツプロバイダ情報を含む。物理フォーマット情報は、ディスクサイズ、記録密度、最大読出パワー、および記録用のパラメータ設定等の、情報を含んでいる。数値ゲイン設定は、物理フォーマット情報テーブル内に記憶されてもよい。
【発明を実施するための最良の形態】
【００２２】
本発明に係る装置、情報担体および方法の、上記およびその他の側面は、図面を参照した以下の説明により明らかにされる。
【００２３】
図１に示した情報を再生する装置は、情報担体１１から情報を読み出すための読出ヘッド３を含んでいる。変位手段２は、情報担体１１と読出ヘッド３との間に相対的な変位を生じさせることができる。動作中においては、読出ヘッド３の出力信号Ｓ１が、増幅器４に供給される。増幅器４は、出力信号Ｓ１を所望のレベルまで増幅し、増幅された信号Ｓ２を、アナログ−デジタル（Ａ／Ｄ）変換器５に供給する。Ａ／Ｄ変換器５は、Ｔ秒のサンプリング周期を用いて、増幅された信号Ｓ２を、サンプリングされた読出信号Ｓに変換する。サンプリングされた読出信号Ｓは、波形イコライザ６に供給される。波形イコライザ６は、読出信号Ｓに波形等化を施すことにより、補正された信号Ｓ'を取得する。波形イコライザ６の出力は、ビット検出手段７に供給される。ビット検出手段７の出力は、チャネル復号手段８に供給される。ゲイン設定手段１は、情報担体から数値ゲインを読み出し、その記憶された数値ゲイン設定に関連付けられた値に、波形イコライザのゲインＫを設定することができる。図１では数値ゲインはウォブルチャネルＷを介して読み出されているが、本発明は、ウォブルチャネルＷを介して数値ゲインを読み出す形態に限定されるものではない。別の実施形態では、数値ゲインは、読出信号チャネルを介して読み出され得る。単純な形態では、ゲインＫは、記憶された数値ゲイン設定に等しい値に設定される。
【００２４】
図２ａは、トラック９および中心穴１０を有する、ディスク形状の情報担体１１を示した図である。トラック９は、情報を表す記録された（または記録されるべき）一連のマークの位置であり、情報層上に、実質的に平行なトラックを形成する複数回転の螺旋パターンに従って配されている。情報担体は、光ディスクと呼ばれる光学的に読取可能なものであってもよく、記録可能型の情報層を有している。記録可能型のディスクの例としては、ＣＤ−ＲならびにＣＤ−ＲＷ、およびＤＶＤ＋ＲＷのような書込可能型のＤＶＤが挙げられる。ＤＶＤディスクのさらなる詳細は、参考文献「ＥＣＭＡ−２６７：１２０ｍｍ  ＤＶＤ−Ｒｅａｄ−Ｏｎｌｙ  Ｄｉｓｃ（ＥＣＭＡ−２６７：１２０ｍｍ  ＤＶＤ−読出専用ディスク）」（１９９７年）に記載されている。情報は、トラックに沿って光検出可能なマーク（たとえば、相変化材料中の結晶またはアモルファスマーク）を記録することにより、情報層上に表される。記録可能型の情報担体上のトラック９は、空の情報担体の製造時において予めエンボス形成された、トラック構造により示されている。このトラック構造は、たとえば、走査中において読出／書込ヘッドがトラックを辿ることを可能にする、プリグルーブ１４により構成される。トラック構造は、通常は情報ブロックと呼ばれる情報単位の位置を示す、位置情報（たとえばアドレス）を含む。この位置情報は、それら情報ブロックの始点の位置を特定するための、特別な同期マークを含んでいる。位置情報は、後述するように、変調されたウォブルのフレーム内に符号化される。
【００２５】
図２ｂは、記録可能型の情報担体１１の、直線ｂ−ｂに沿って得られた断面の一部を示した図である。この図では、透明基板１５に、記録層１６および保護層１７が設けられている。たとえば記録層が０．６ｍｍの基板に設けられておりその背面に別の０．６ｍｍの基板が貼り合わせられているＤＶＤのように、保護層１７が、さらなる支持層を備えていてもよい。プリグルーブ１４は、基板１５の材料の凹部または凸部として実装されてもよいし、周囲と異なる材料特性として実装されてもよい。
【００２６】
情報担体１１は、フレームを含む変調信号により表される情報を担持することを意図されている。フレームは、同期信号に後続する、予め決められた量のデータである。通常、そのようなフレームはエラー訂正符号（たとえばパリティワード）も含んでいる。複数のフレームが情報ブロックを構成し、その情報ブロックは、さらなるエラー訂正ワードを含んでいる。情報ブロックは、十分な信頼性で情報を取り出すことを可能とする、最小の記録可能単位である。そのような記録システムの一例は、フレームが１７２個のデータワードと１０個のパリティワードとを担持し、２０８個のフレームが１つのＥＣＣブロックを構成するような、ＤＶＤシステムから既知である。
【００２７】
図３は、情報担体１１の情報領域２０の一例を示している。情報領域２０は、データ交換に関連する情報担体上の情報をすべて含む。内側ドライブ領域２１および外側ドライブ領域２５は、ディスクのテスト用の領域である。リードイン領域２２は、制御情報を含む。リードアウト領域２４は、円滑なリードアウトを可能とし、かつ制御情報を含む領域である。データ領域２３は、ユーザーデータの記録用に意図された領域である。リードイン領域は、制御データ領域を含んでいる。
【００２８】
図４は、上記の制御データ領域内に含まれる物理フォーマット情報の一例の表を示している。物理フォーマット情報は、上記のように、ＡＤＩＰ内に符号化されている。この情報は、図４に示した２５６バイトを含むものとされる。これには、最適パワー制御（Ｏｐｔｉｍｕｍ  Ｐｏｗｅｒ  Ｃｏｎｔｒｏｌ；ＯＰＣ）アルゴリズムが書込みのための最適なレーザーパワーレベルを決定するのに使用されるディスク情報および値が、含まれている。この情報は、ディスクの初期化時において、制御データと呼ばれる記録可能な領域にコピーされる。データの内容は、たとえば以下のとおりである。
【００２９】
・バイト０−ディスクカテゴリーおよびバージョン情報
ビットｂ７からｂ４：ディスクカテゴリーを指定すべきビット。ＤＶＤ＋Ｒディスクを示す、１０１０に設定されるものとする。
ビットｂ３からｂ０：バージョン番号を指定すべきビット。バージョンを示す００００に設定されるものとする。
【００３０】
・バイト１−ディスクサイズおよび最大転送レート
ビットｂ７からｂ４：ディスクサイズを指定すべきビット。１２０ｍｍディスクを示す、００００に設定されるものとする。
ビットｂ３からｂ０：最大読出転送レートを指定すべきビット。最大読出転送レートが指定されていないことを示す、１１１１に設定されるものとする。
【００３１】
・バイト２−ディスク構造
ビットｂ７からｂ４：００００に設定されるものとする。
ビットｂ３からｂ０：記録層のタイプを指定すべきビット。追記型の記録層であることを示す、００１０に設定されるものとする。
【００３２】
・バイト３−記録密度
ビットｂ７からｂ４：情報領域内の平均チャネルビット長を指定すべきビット。０．１３３μｍを示す、００００に設定されるものとする。
ビットｂ３からｂ０：平均トラックピッチを指定すべきビット。０．７４μｍの平均トラックピッチを示す、００００に設定されるものとする。
【００３３】
・バイト４から１５−データ領域割当て
バイト４：（００）に設定されるものとする。
バイト５から７：データ領域の最初の物理セクタのＰＳＮ１９６．６０８を指定するため、（０３００００）に設定されるものとする。
バイト８：（００）に設定されるものとする。
バイト９から１１：データ領域の最後の可能な物理セクタとしてＰＳＮ２．４９１．７１１を指定するため、（２６０５３Ｆ）に設定されるものとする。
バイト１２から１５：（００）に設定されるものとする。
【００３４】
・バイト１６−（００）：（００）に設定されるものとする。
【００３５】
・バイト１７−予備：このバイトは予備のバイトであり、（００）に設定されるものとする。
【００３６】
・バイト１８−拡張情報インジケータ
ビットｂ７からｂ６：予備のバイトであり、００に設定されるものとする。
ビットｂ５からｂ０：これらのビットの各々は、拡張情報ブロックの存在を示すべきビットである。ビットｂｉは、バイト（６４＋ｉ×３２）から（９５＋ｉ×３２）よりなる拡張情報ブロックｉが使用されている場合に、１に設定されるものとする。そうでない場合は、ビットｂｉは０に設定されるものとする。
【００３７】
・バイト１９から２６−ディスク製造業者ＩＤ
これら８バイトは、ディスクの製造業者を識別すべきビットである。使用されない後方バイトは、（００）に設定されるものとする。
【００３８】
・バイト２７から２９−媒体タイプＩＤ
ディスクの製造業者は、これら３バイトで指定されるべき、異なる複数のタイプの媒体を有し得る。ディスクの具体的なタイプは、このフィールドに示される。
【００３９】
・バイト３０−製品修正版番号
このバイトは、製品の修正版番号を二進表現で識別すべきバイトである。同一のディスク製造業者ＩＤおよび同一の製品ＩＤを有するディスクはすべて、製品修正版番号にかかわらず、同一の記録特性を有していなくてはならない（マイナーな違いのみが許容される。すなわち、製品修正版番号は、記録装置に無関係とされる）。使用されない場合は、このバイトは（００）に設定されるものとする。
【００４０】
・バイト３１−使用されている物理フォーマット情報バイトの数
このバイトは、物理フォーマット情報のために実際に使用されているバイトの数を示す、８ビットの二進数を構成する。ここでは、最初の５４バイトのみの物理フォーマット情報のみが使用されていることを示す、（３６）に設定されるものとする。
【００４１】
・バイト３２−参照記録速度
このバイトは、そのディスクに可能な最も低い記録速度（参照速度とも呼ばれる）を、
ｎ＝１０×ｖｒｅｆ（ｎは、整数値に四捨五入される）
である番号ｎとして示す。ここでは、３．４９ｍ／秒の参照書込速度を示す（２３）に設定されるものとする。
【００４２】
・バイト３３−最大記録速度
このバイトは、そのディスクに可能な最も高い記録速度を、
ｎ＝１０×ｖｒｅｆ（ｎは、整数値に四捨五入される）
である番号ｎとして示す。ここでは、８．４４ｍ／秒の最大書込速度を示す（５４）に設定されるものとする。
【００４３】
・バイト３４−波長λＩＮＤ
このバイトは、後続のバイトの最適な書込パラメータを決定する基となったレーザーの波長（ナノメートル単位）を、
ｎ＝波長−６００
であるｎとして指定すべきバイトである。
【００４４】
・バイト３５−予備
【００４５】
・バイト３６−参照速度における最大読出パワーＰｒ
このバイトは、参照速度における最大読出パワーＰｒ（ミリワット単位）を、
ｎ＝２０×（Ｐｒ−０．７）    
であるｎとして指定すべきバイトである。
【００４６】
・バイト３７−参照速度におけるＰＩＮＤ
ＰＩＮＤは、ＯＰＣアルゴリズム内で使用されるＰｐｏの決定のための開始値である。このバイトは、参照速度におけるＰｐｏの指標値ＰＩＮＤ（ミリワット単位）を、
ｎ＝２０×（ＰＩＮＤ−５）
であるｎとして指定すべきバイトである。
【００４７】
・バイト３８−参照速度におけるβｔａｒｇｅｔ
このバイトは、参照速度における、ＯＰＣアルゴリズム内で使用されるβの目標値βｔａｒｇｅｔを、
ｎ＝１０×βｔａｒｇｅｔ
であるｎとして指定すべきバイトである。
【００４８】
・バイト３９−最大速度における最大読出パワーＰｒ
このバイトは、最大速度における最大読出パワーＰｒ（ミリワット単位）を、
ｎ＝２０×（Ｐｒ−０．７）
であるｎとして指定すべきバイトである。
【００４９】
・バイト４０−最大速度におけるＰＩＮＤ
ＰＩＮＤは、ＯＰＣアルゴリズム内で使用されるＰｐｏの決定のための開始値である。このバイトは、最大速度におけるＰｐｏの指標値ＰＩＮＤ（ミリワット単位）を、
ｎ＝２０×（ＰＩＮＤ−５）
であるｎとして指定すべきバイトである。
【００５０】
・バイト４１−最大速度におけるβｔａｒｇｅｔ
このバイトは、最大速度における、ＯＰＣアルゴリズム内で使用されるβの目標値βｔａｒｇｅｔを、
ｎ＝１０×βｔａｒｇｅｔ
であるｎとして指定すべきバイトである。
【００５１】
・バイト４２−参照速度における、現在のマーク≧４に対する先頭パルス持続時間Ｔｔｏｐ（≧４）
このバイトは、現在のマークが、参照速度での記録に対し４Ｔまたはそれより大きなマークである場合における、マルチパルス・トレインの先頭パルスの持続時間を示すべきバイトである。この値は、チャネルビットクロック周期で割った値を示す、
【数４】
2008521155.tif 000005
なるｎとして表される。
【００５２】
・バイト４３−参照速度における、現在のマーク＝３に対する先頭パルス持続時間Ｔｔｏｐ（＝３）
このバイトは、現在のマークが、参照速度での記録に対し３Ｔマークである場合における、マルチパルス・トレインの先頭パルスの持続時間を示すべきバイトである。この値は、チャネルビットクロック周期で割った値を示す、
【数５】
2008521155.tif 000006
なるｎとして表される。
【００５３】
・バイト４４−参照速度における、マルチパルス持続時間Ｔｍｐ
このバイトは、参照速度で記録を行うためのマルチパス・トレインの、２番目から、最後から２番目までのパルスの、持続時間を示すべきバイトである。この値は、チャネルビットクロック周期で割った値を示す、
【数６】
2008521155.tif 000007
なるｎとして表される。
【００５４】
・バイト４５−参照速度における、最終パルス持続時間Ｔｌｐ
このバイトは、参照速度で記録を行うためのマルチパス・トレインの、最後のパルスの持続時間を示すべきバイトである。この値は、チャネルビットクロック周期で割った値を示す、
【数７】
2008521155.tif 000008
なるｎとして表される。
【００５５】
・バイト４６−参照速度における、先頭パルス・リード時間（ｌｅａｄ  ｔｉｍｅ）ｄＴｔｏｐ
このバイトは、参照速度における記録のための、データパルスの２番目のチャネルビットの立下がりエッジに対する、マルチパス・トレインの先頭パルスのリード時間
を示すべきバイトである。この値は、チャネルビットクロック周期で割った値を示す、
【数８】
2008521155.tif 000009
なるｎとして表される。
【００５６】
・バイト４７−参照速度における、先行スペース＝３に対する先頭パルス立上りエッジ修正ｄＴｌｅ
このバイトのビット７からビット４は、参照速度での記録に対し、先行スペースが３Ｔスペースであった場合における、マルチパルス・トレインの先頭パルスに対する立上りエッジ修正を指定すべきビットである。この値は、図８に従って、チャネルビットクロック周期で割った値で表される。
【００５７】
・バイト４８−最大速度における、現在のマーク≧４に対する先頭パルス持続時間Ｔｔｏｐ（≧４）
このバイトは、現在のマークが、最大速度での記録に対し４Ｔまたはそれより大きなマークである場合における、マルチパルス・トレインの先頭パルスの持続時間を示すべきバイトである。この値は、チャネルビットクロック周期で割った値を示す、
【数９】
2008521155.tif 000010
なるｎとして表される。
【００５８】
・バイト４９−最大速度における、現在のマーク＝３に対する先頭パルス持続時間Ｔｔｏｐ（３）
このバイトは、現在のマークが、最大速度での記録に対し３Ｔマークである場合における、マルチパルス・トレインの先頭パルスの持続時間を示すべきバイトである。この値は、チャネルビットクロック周期で割った値を示す、
【数１０】
2008521155.tif 000011
なるｎとして表される。
【００５９】
・バイト５０−最大速度における、マルチパルス持続時間Ｔｍｐ
このバイトは、最大速度で記録を行うためのマルチパス・トレインの、２番目から、最後から２番目までのパルスの、持続時間を示すべきバイトである。この値は、チャネルビットクロック周期で割った値を示す、
【数１１】
2008521155.tif 000012
なるｎとして表される。
【００６０】
・バイト５１−最大速度における、最終パルス持続時間Ｔｌｐ
このバイトは、最大速度で記録を行うためのマルチパス・トレインの、最後のパルスの持続時間を示すべきバイトである。この値は、チャネルビットクロック周期で割った値を示す、
【数１２】
2008521155.tif 000013
なるｎとして表される。
【００６１】
・バイト５２−最大速度における、先頭パルス・リード時間ｄＴｔｏｐ
このバイトは、最大速度における記録のための、データパルスの２番目のチャネルビットの立下がりエッジに対する、マルチパス・トレインの先頭パルスのリード時間
を示すべきバイトである。この値は、チャネルビットクロック周期で割った値を示す、
【数１３】
2008521155.tif 000014
なるｎとして表される。
【００６２】
・バイト５３−最大速度における、先行スペース＝３に対する先頭パルス立上りエッジ修正ｄＴｌｅ
このバイトのビット７からビット４は、最大速度での記録に対し、先行スペースが３Ｔスペースであった場合における、マルチパルス・トレインの先頭パルスに対する立上りエッジ修正を指定すべきビットである。この値は、図８に従って、チャネルビットクロック周期で割った値で表される。
【００６３】
・バイト５４から６３−予備−すべて（００）
これらのバイトは、すべて（００）に設定されるものとする。
【００６４】
・バイト（６４＋ｉ×３２）から（９５＋ｉ×３２）−拡張情報ブロックｉ（ｉ＝０から５）
将来の拡張を容易にするために、拡張情報ブロックが導入されている。それら拡張情報ブロックの各々は、３２バイトからなっている。これらのバイトは、たとえば、代替のライトストラテジのためのパラメータ（たとえば高速記録用）や、その他の改良パラメータを保持することができる。拡張情報ブロックの存在は、バイト１８内のビットにより示されるものとする。
バイト（６４＋ｉ×３２）：拡張情報ブロックｉのバージョン番号は、ブロックのバージョンを示し、バイト（６４＋ｉ×３２）から（９５＋ｉ×３２）内のデータの定義を識別する。ディスクは、ブロックバージョン番号が同じでも異なっていてもよい複数の拡張情報ブロックを有し得る。ブロックｉの具体的なブロックバージョン番号を与えられていないドライブは、この拡張情報ブロック内の改良パラメータを用いてディスクを使用するべきではない。ブロックバージョン番号が２５５に設定されている場合は、関連の拡張情報ブロックは、独立したブロックではなく、先行する拡張情報ブロックの続きとされる（パラメータのある組について、３２バイトでは不十分な場合に用いられる）。
バイト（６５＋ｉ×３２）から（９５＋ｉ×３２）：これらのバイトは、代替のライトストラテジその他のパラメータを保持するのに使用され得る。
【００６５】
・高速ライトストラテジ用パラメータの例
バイト１８：拡張情報ブロック０が使用されていることを示す００００  ０００１。
バイト６４：ブロックバージョン１を示す００００  ０００１。このブロックバージョン１に対し、バイト６５から９５は以下の意味を有する。
バイト６５：このＥＩブロック内で設定されるパラメータに対する、最大記録速度：ｎ×０．２５ｍ／秒（ｍａｘ≦６３．７５ｍ／秒＝１８．２５ｘ＝１７５Ｈｚ＠Ｒ＝５８ｍｍ）
バイト６６：このＥＩブロック内で設定されるパラメータに対する、最小記録速度：ｎ×０．２５ｍ／秒（最小記録速度＝最大記録速度とされてもよい）
バイト６７：予備のバイトであり、（００）に設定されている
バイト６８から８１：最大記録速度に対して設定されたパラメータ
バイト６８：ＰＩＮＤ
バイト６９：βｔａｒｇｅｔ
バイト７０：ｃｍ≧４に対する先頭パルス持続時間Ｔｔｏｐ（≧４）
バイト７１：ｃｍ＝３に対する先頭パルス持続時間Ｔｔｏｐ（＝３）
バイト７２：マルチパルス持続時間Ｔｍｐ
バイト７３：最終パルス持続時間Ｔｌｐ
バイト７４：ｃｍ≧４に対する先頭パルス・リード時間ｄＴｔｏｐ（≧４）
バイト７５：ｃｍ＝３に対する先頭パルス・リード時間ｄＴｔｏｐ（＝３）
バイト７６：ｐｓ＝３に対する先頭パルス立上りエッジ修正ｄＴｌｅ
バイト７７：ｐｓ＝４に対する先頭パルス立上りエッジ修正ｄＴｌｅ
バイト７８：予備のバイトであり、（００）に設定されている
バイト７９：予備のバイトであり、（００）に設定されている
バイト８０：予備のバイトであり、（００）に設定されている
バイト８１：予備のバイトであり、（００）に設定されている
バイト８２から９５：最小記録速度に対して設定されたパラメータ
バイト８２：ＰＩＮＤ
バイト８３：βｔａｒｇｅｔ
バイト８４：ｃｍ≧４に対する先頭パルス持続時間Ｔｔｏｐ（≧４）
バイト８５：ｃｍ＝３に対する先頭パルス持続時間Ｔｔｏｐ（＝３）
バイト８６：マルチパルス持続時間Ｔｍｐ
バイト８７：最終パルス持続時間Ｔｌｐ
バイト８８：ｃｍ≧４に対する先頭パルス・リード時間ｄＴｔｏｐ（≧４）
バイト８９：ｃｍ＝３に対する先頭パルス・リード時間ｄＴｔｏｐ（＝３）
バイト９０：ｐｓ＝３に対する先頭パルス立上りエッジ修正ｄＴｌｅ
バイト９１：ｐｓ＝４に対する先頭パルス立上りエッジ修正ｄＴｌｅ
バイト９２：予備のバイトであり、（００）に設定されている
バイト９３：予備のバイトであり、（００）に設定されている
バイト９４：予備のバイトであり、（００）に設定されている
バイト９５：予備のバイトであり、（００）に設定されている
【００６６】
拡張情報ブロック、たとえばバイト６４は、波形イコライザ６の数値ゲイン設定の記憶に用いることができる。
【００６７】
記録可能型のブルーレイディスク（ＢＤ−Ｒ）フォーマットを有する情報担体１１については、数値ゲイン設定は、たとえば記録担体１１のＰＩＣ（Ｐｅｒｍａｎｅｎｔ  Ｉｎｆｏｒｍａｔｉｏｎ  ＆  Ｃｏｎｔｒｏｌ；固定情報および制御）データ領域内に記憶され得る。ＰＩＣ領域は、リードイン領域内に配されている。ＰＩＣ領域は、数値ゲイン設定を記憶するのに申し分なく適したディスク情報テーブル（Ｄｉｓｃ  Ｉｎｆｏｒｍａｔｉｏｎ  ｔａｂｌｅ）を含んでいる。
【００６８】
波形イコライザ６の内部構造の一例が、図５に示されている。図５に示された波形イコライザは、３つのタップ遅延器Ｄ１からＤ３と、４つの増幅ユニットＡ１からＡ４を有している。増幅ユニット中のＫの値は情報担体１１から読み出され、設定手段１が、Ｋの値を、読み出された数値ゲイン設定に依存する値に設定する。増幅ユニットＡ１からＡ４の出力は、加算器Ｂ１により合計され、結果として補正された信号Ｓ'が得られる。
【００６９】
波形イコライザ６に後続して、リミットイコライザが設けられてもよい。この実施形態は、図６に示されている。
【００７０】
読出信号Ｓは、図５に示したのと同一の波形イコライザ６に供給される。波形イコライザ６の出力は、振幅制限手段６２に供給される。振幅制限手段６２は、波形イコライザ６の出力に対して振幅制限を施し、取得された振幅が制限された信号ＳＬＩＭを、第２のフィルタ６３に供給する。読出信号Ｓは、第１のフィルタ６１への入力でもある。フィルタ６１の出力とフィルタ６３の出力とは、加算器６４により加算される。
【００７１】
振幅制限回路６２は、符号間干渉の増大を抑制する。振幅制限回路６２がなければ、過剰な高周波強調が施された場合、符号間干渉が増大し、結果としてジッタが増大する。
【００７２】
図６の例では、第１のフィルタ６１は、タップ係数［０，０，０，１］を有するＦＩＲフィルタである。これは、このフィルタへの入力が、３つのタップ遅延器Ｄ７、Ｄ８およびＤ９により遅延させられることを意味する。これらのタップ遅延器は、情報担体上へのビット書込みに使用されたチャネルビットクロックの周期にほぼ等しい時間Ｔだけ、入力を遅延させる。第１のフィルタ６１の出力Ｏｆ１は、以下の式１で表されるように、このフィルタの入力、すなわち読出信号Ｓに関連付けられる。
【数１４】
2008521155.tif 000015
ここで、Ｏｆ１（ｎ）はサンプリング瞬時ｎにおける第１のフィルタ６１の出力を表し、Ｓ（ｎ−３）はサンプリング瞬時ｎ−３における第１のフィルタ６１の入力を表す。
【００７３】
第２のフィルタ６３は、タップ係数［−ｍ，＋ｍ，＋ｍ，−ｍ］を有するＦＩＲフィルタである。これは、このフィルタへの入力が、３つのタップ遅延器Ｄ４、Ｄ５およびＤ６により遅延させられ、それぞれ−ｍ、＋ｍ、＋ｍおよび−ｍの増幅係数を有する増幅ユニットＡ５、Ａ６、Ａ７およびＡ８に供給される、４つの出力が存在することを意味する。第１の増幅器Ａ５は入力ＳＬＩＭの直後に配され、第２の増幅器Ａ６は第１の遅延タップＤ４の後に配され、以下同様である。増幅ユニットＡ５からＡ８の出力は、加算器Ｂ２により加算される。第２のフィルタ６３の出力Ｏｆ２は、以下の式２で表されるように、この第２のフィルタ６３の入力Ｓｌｉｍに関連付けられる。
【数１５】
2008521155.tif 000016
【００７４】
この波形イコライザ６の実施形態の全体の出力Ｓ'は、
【数１６】
2008521155.tif 000017
で表される。
【００７５】
ゲインＫおよび／またはｍの最適値は、情報担体１１のノイズ特性に依存する。そのため、ゲインＫおよび／またはｍの最適値は、情報担体１１上に記憶され、ゲイン設定手段１により読み出され、その後、読み出された数値ゲイン設定に設定される。
【００７６】
以上、好ましい実施形態を参照して本発明を説明してきたが、これらは非限定的な例である点に留意されたい。したがって、当業者には、特許請求の範囲で規定する本発明の技術的範囲から逸脱することなく、様々な変更形態が明らかである。
【図面の簡単な説明】
【００７７】
【図１】本発明に従う、情報を再生する装置を示した図
【図２ａ】ある情報担体の上面図
【図２ｂ】ある情報担体の断面図
【図３】情報担体の情報領域の一例を示した図
【図４】物理フォーマット情報の一例を示した表
【図５】波形イコライザの一例を示した図
【図６】リミットイコライザが後続する波形イコライザを示した図
【図１】
2008521155.tif 000019
【図２ａ】
2008521155.tif 000020
【図２ｂ】
2008521155.tif 000021
【図３】
2008521155.tif 000022
【図４】
2008521155.tif 000023
【図５】
2008521155.tif 000024
【図６】
2008521155.tif 000025
【国際調査報告】
2008521155.tif 000026
2008521155.tif 000027
2008521155.tif 000028